(57)【要約】      （修正有）【課題】小面積の板体より接合部なしで、切断し、折り曲げるだけで組み立て可能なフリーサイズのサンバイザーを提供する。【解決手段】  ハサミ等で容易に切断可能な任意形状の板体の表面に表示された輪郭線と切込線を切断し、山折線、谷折線の表示に従って折り曲げるだけで組み立て可能なフリーサイズのサンバイザーであって、略半円弧状の輪郭線と、つばの周縁となるように表示された切込線と、ゆるやかなアーチ状の谷折線及びこの谷折線よりもやや急なアーチ状で前記切込線とで囲われたつばを形成する山折線と、バンド部上に一定間隔で交互に表示された複数の山折線及び谷折線と、額あて部と、この額あて部と前記バンド部の両端部とを接続する前記半円弧状の輪郭線両端部から延長された輪郭線と、前記バンド部両端部がほぼ垂直になるように折り曲げることができる山折線及び谷折線とからなることを特徴とするサンバイザー。【選択図】  図１
2006132069.tif 000002
【特許請求の範囲】
【請求項１】
ハサミ等で容易に切断可能な任意形状の板体の表面に表示された輪郭線と切込線を切断し、山折線、谷折線の表示に従って折り曲げるだけで組み立て可能なフリーサイズのサンバイザーであって、略半円弧状の輪郭線と、この輪郭線に沿って一定幅のバンド部を形成し、かつ、つばの周縁となるように表示された切込線と、この切込線の両端部を結ぶように表示されたゆるやかなアーチ状の谷折線及びこの谷折線よりもやや急なアーチ状で前記切込線とで囲われたつばを形成する山折線と、前記両端部を直線で結んだ中心点から放射状の直線上であって前記バンド部上に一定間隔で交互に表示された複数の山折線及び谷折線と、前記つば部と山折線及び谷折線を介して額あて部と、この額あて部と前記バンド部の両端部とを接続する左右の接続片を形成するように表示された、前記半円弧状の輪郭線両端部から延長された輪郭線と、前記サンバイザーを組み立てた時に、前記バンド部両端部がほぼ垂直になるように折り曲げることができるように、前記額あて部と左右接続片の接続部位に表示された山折線及び谷折線とからなることを特徴とするサンバイザー。
【請求項２】
容易に折り曲げ可能な略半円弧状の板体より成るフリーサイズのサンバイザーであって請求項１で記述した切込線は予め切込まれ、山折線、谷折線には案内がされ、道具なしで容易に組み立てられるようになっていること特徴とするサンバイザー。
【発明の詳細な説明】
【技術分野】
【０００１】    本発明は、小面積の板体より接合部なしで折り曲げてフリーサイズのサンバイザーに関するものである。
【背景技術】
【０００２】    従来は、特定の大きさの板体より、のりしろを接着材料により貼り合わせて制作し、サイズ調節には輪ゴム等を使用し制作していた。
【発明の開示】
【発明が解決しようとする課題】
【０００３】  そのために次のような問題点があった。
（イ）切断箇所が多く、接合部など無駄が多い。
（ロ）貼り付けの場合は接着面がかわくまで時間がかかり強度にも不安がある。
（ハ）制作に際し、接着材料（のり・セロテープ・ホッチキス等）、輪ゴム等が必要となりコスト面や廃棄時の環境面に問題が生じる。
本発明は以上の問題点を解決するためになされたものである。
【発明が解決するための手段】
【０００４】  ハサミ等で容易に切断可能な任意形状の板体の表面に表示された輪郭線と切込線を切断し、山折線、谷折線の表示に従って折り曲げるだけで組み立て可能なフリーサイズのサンバイザーであって、略半円弧状の輪郭線と、この輪郭線に沿って一定幅のバンド部を形成し、かつ、つばの周縁となるように表示された切込線と、この切込線の両端部を結ぶように表示されたゆるやかなアーチ状の谷折線及びこの谷折線よりもやや急なアーチ状で前記切込線とで囲われたつばを形成する山折線と、前記両端部を直線で結んだ中心点から放射状の直線上であって前記バンド部上に一定間隔で交互に表示された複数の山折線及び谷折線と、前記つば部と山折線及び谷折線を介して額あて部と、この額あて部と前記バンド部の両端部とを接続する左右の接続片を形成するように表示された、前記半円弧状の輪郭線両端部から延長された輪郭線と、前記サンバイザーを組み立てた時に、前記バンド部両端部がほぼ垂直になるように折り曲げることができるように、前記額あて部と左右接続片の接続部位に表示された山折線及び谷折線とからなることを特徴とするサンバイザーである。
【発明の効果】
【０００５】  本発明は小面積で接合面なしで折り曲げるだけでフリーサイズのサンバイザーが制作できるので接合材料なしに少ない手間で、容易にフリーサイズのサンバイザーが制作可能となる。
【発明を実施するための最良の形態】  実施例１
請求項１の実施例を具体的な数値を示して、以下図１〜図６に沿って説明する。
図１のようにＡ４サイズの厚紙に、つば部（１）、額あて部（２）、バンド部（３）を形成するための略半円弧状（直線部２７ｃｍを底辺として高さ２０ｃｍ）の輪郭線（４）をつくる。直線部の両端より２．５ｃｍ（バンド部の幅）だけ内側に入りかつ、直線部を底辺として高さ３．８ｃｍ（額あて部の高さ）の２つの接点を左右の起点（５），（６）として置き、両起点を曲線部方向周端に沿ってつなぐことによりつば部（１）とバンド部（３）を分ける切込線（７）ができる。両起点を直線で結んだ中心点（８）から放射線状の直線であってバンド部（３）上に複数個の折り返し線（１１），（１２）（幅１ｃｍ）をつけておく。左右の起点同士をむすび、つば部（１）と額あて部（２）を分けるつば方向に湾曲した、つまり、額あて部（２）を形成するためのゆるやかなアーチ状の谷折線（９）と、それよりやや急なアーチ状のつば部（１）を形成するための山折線（１０）を表示する。以上が本発明の構成となる。
ハサミなどで輪郭を切取り、図２のようにつば部（１）とバンド部（３）を形成するための切込線（７）を上下に開き、図３のようにバンド部（３）を折り返し頭にかぶる輪を形成する。図４のように額あて部（２）を形成するためのゆるやかなアーチ状の谷折線（９）を谷折りすることにより額あて部を立たせ、図５のようにつば部（１）を形成するためのをアーチ状の山折線（１０）を山折りし左起点（５）から底辺（直線部）に垂直に下ろした線（１３）を谷折りし、同じく左起点（５）よりすこし内側に斜めの線（１４）を山折りする。右起点（６）についても左起点（５）と同じように左右対称となるよう折り曲げる。図５は山折線（１０）を山折りし左右のバンド接続片の一部を折り曲げた状態で後方より見た図である。図６のようにバンド部（３）を山折り谷折りの複数個の折り返し線（幅１ｃｍ）を折ることによりフリーサイズのサンバイザーとなる。
実施例２
請求項２の実施例を説明する。
容易に折り曲げ可能な略半円弧状の板体を用い、実施例１で記述した線を表示する箇所には予め折り曲げ方向に軽く折り目がついた状態に案内をつけ、切込部には切込みを入れておく。各部の寸法は実施例１とほぼ同じである。道具なしで案内に沿って折り曲げるだけでフリーサイズのサンバイザーとなる。
【図面の簡単な説明】
【０００７】
【図１】本発明の平面図
【図２】図１より輪郭線・切込線を切断した状態を示す斜視図
【図３】図２よりバンド部を後方に折り返した状態を示す斜視図
【図４】図３より額あて部を谷折りし立てた状態を示す斜視図
【図５】図４よりつば部を山折りし左右のバンド接続片の一部を折り曲げた状態で後方より見た斜視図
【図６】本発明を使用する時の状態を示す斜視図
【符号の説明】
【０００８】  １．つば部
２．額あて部
３．バンド部
４．輪郭線
５．左起点
６．右起点
７．切込線
８．中心点
９．山折線
１０．谷折線
１１．谷折線
１２．山折線
１３．谷折線
１４．山折線
【図１】
2006132069.tif 000003
【図２】
2006132069.tif 000004
【図３】
2006132069.tif 000005
【図４】
2006132069.tif 000006
【図５】
2006132069.tif 000007
【図６】
2006132069.tif 000008